(57)【要約】      （修正有）【課題】異なる寸法スペックの携帯型電子装置の入れるのに適用することができる電源コンセントを提供する。【解決手段】少なくとも一つの電源プラグ、少なくとも一つの充電インタフェース及び挟持アームを有し、挟持アームの一方の固定端及び電源コンセントの側面が携帯型電子装置を入れるための溝部として形成されている。挟持アームが、固定端の位置を調整するために外部又は内部に向けて摺動することで、溝部の幅を調整可能である。【選択図】図１
0003165298.tif 000002
【実用新案登録請求の範囲】
【請求項１】
少なくとも一つの電源プラグ及び少なくとも一つの充電インタフェースを有する本体と、
前記本体に摺動可能に設けられる挟持アームと、を備え、
前記挟持アームの一方の固定端と前記本体の一側面との間は、携帯型電子装置を入れるための溝部として形成され、前記固定端の本体に対する位置を調整するために、前記挟持アームは選択的に外部へ引き出す又は内部へ挿入するように摺動することができ、
前記側面の高さを前記固定端の高さより高くさせ、且つ前記側面を傾斜面とすることにより、前記携帯型電子装置が前記溝部に入れた場合、前記側面にもたれかけることになることを特徴とする電源コンセント。
【請求項２】
前記溝部の両端部は、対向される２つの開放端が形成され、前記挟持アームの携帯型電子装置と接触することになる面にはソフトパッドが配置され、前記本体の底部には滑り止めパッドが配置されていることを特徴とする請求項１に記載の電源コンセント。
【請求項３】
前記挟持アームは、前記本体に摺動可能に設けられた摺動端を有し、前記摺動端には複数の位置決め孔が設けられ、前記本体には前記複数の位置決め孔のいずれかに嵌入されるように対応する位置決め部材が少なくとも１つ設けられていることを特徴とする請求項１に記載の電源コンセント。
【請求項４】
前記挟持アームは、前記本体に摺動可能に設けられた摺動端を有し、前記摺動端には複数の位置決め歯が設けられ、、前記本体には前記複数の位置決め歯と干渉するとうに対応する位置決め爪が少なくとも１つ設けられていることを特徴とする請求項１に記載の電源コンセント。
【請求項５】
前記本体は、前記挟持アームを位置決めするためのプッシュプッシュタイプ位置決め手段を有することを特徴とする請求項１に記載の電源コンセント。
【請求項６】
前記側面は、前記本体の底部前縁から前記本体の上部前縁に向けて延びて形成され、且つ前記本体の底部前縁が前記本体の上部前縁よりも外部方向へ突出するように傾斜面となることを特徴とする請求項１に記載の電源コンセント。
【考案の詳細な説明】
【技術分野】
【０００１】
本考案は、充電インタフェースを有する電源コンセントに関し、特にその一側に携帯型電子装置をもたれさせて支えることができる電源コンセントに関するものである。
【背景技術】
【０００２】
従来、電源コンセントによる携帯型電子装置（例えば電子ブック又はパネルコンピュータ等の装置）への充電時に、電源コンセント及び携帯型電子装置のそれぞれは、独立したスペースを占有し、電源コンセントの一側に携帯型電子装置を傾斜させてもたれかけることができないため、スペースの無駄となるのみならず、テーブル面が乱雑になりやすく、ユーザが閲覧や操作するのに極めて不便である。よって、電源コンセントを携帯型電子装置の後方に隠蔽することがユーザの要望である。
【０００３】
また、各タイプの携帯型電子装置が異なる厚さや幅を有しているため、各タイプの携帯型電子装置のいずれも電源コンセントの一側にもたれさせて支えることが可能であるようにすることは、技術の提案や革新が必要になる。
【考案の概要】
【考案が解決しようとする課題】
【０００４】
本考案は、充電インタフェースを有する電源コンセントが提供されており、挟持アーム及び本体の一方の側面が溝部として形成されることにより、ユーザは、携帯型電子装置を溝部に縦方向又は横方向に入れて、携帯型電子装置をスペースが節約できるように電源コンセントの一側に傾斜して寄りかからせることができるとともに、ユーザが携帯型電子装置を見る又は操作するのに有利になる。
【課題を解決するための手段】
【０００５】
本考案は、少なくとも一つの電源プラグ及び少なくとも一つの充電インタフェースを有する本体と、本体に摺動可能に設けられる挟持アームとを備え、前記挟持アームの一方の固定端と本体の一側面との間は、ユーザが携帯型電子装置を入れることができる溝部として形成され、固定端の位置を調整するために、挟持アームを選択的に外部又は内部に向けて摺動させることができる。前記本体の前記一側面の高さを固定端の高さよりも高くさせ、且つ側面を傾斜面とすることにより、溝部に入れた携帯型電子装置が側面に側面方向に傾斜してもたれかかるようにすることを技術手段とする充電インタフェースを有する電源コンセントを提供する。
【０００６】
また、本考案は、少なくとも一つの電源プラグ及び少なくとも一つの充電インタフェースを有する本体と、第１の側板及び第２の側板を有し、第１の側板及び第２の側板がそれぞれ本体の両端に枢設され、回動範囲は本体の一方の上面及び一方の側面の間に制限され、側面位置に回動された場合、一方の固定端が本体の側面と溝部として形成されることにより、ユーザが携帯型電子装置を入れることができる挟持アームと、を備えることを技術手段とする充電インタフェースを有する電源コンセントを提供する。
【０００７】
また、本考案は、少なくとも一つの電源プラグ及び少なくとも一つの充電インタフェースを有する本体と、本体の一方の側端に回動可能に枢設され、回動範囲が本体の第１の側面と第２の側面との間に制限され、本体の第１の側面位置に回動された場合、一方の固定端が本体の第１の側面と溝部として形成される挟持アームとを備えることを技術手段とする充電インタフェースを有する電源コンセントを提供する。
【考案の効果】
【０００８】
本考案によれば、携帯型電子装置をスペースを節約できるように電源コンセントに傾斜してもたれかかることにより、テーブルの雑乱を回避することができ、さらには携帯型電子装置の傾斜に入れたスペースを利用することにより、電源コンセントを携帯型電子装置の後方に隠蔽できるという効果を奏することが可能となる。
【０００９】
また、本考案によれば、電源コンセントの溝部が対向する２つの開放端を有しているため、ユーザは、幅や方向性の制限を受けることなく、携帯型電子装置を溝部に縦置き又は横置きに入れることができ、さらに、ユーザは、挟持アームの固定端の位置を調整することにより、厚さの異なる携帯型電子装置に適用できるという効果を奏することが可能となる。
【図面の簡単な説明】
【００１０】
【図１】本考案に係る第１の実施例に基づく電源コンセント模式図である。
【図２】携帯型電子装置が溝部１３０に入れた場合の模式図である。
【図３Ａ】本考案に係る第１の実施例に基づく携帯型電子装置の入れる模式図である。
【図３Ｂ】本考案に係る第１の実施例に基づく携帯型電子装置の入れる模式図である。
【図４】本考案に係る第１の実施例に基づく電源コンセント１００の模式図である。
【図５Ａ】本考案に係る第１の実施例に基づく位置決め手段の模式図である。
【図５Ｂ】本考案に係る第１の実施例に基づく位置決め手段の模式図である。
【図５Ｃ】本考案に係る第１の実施例に基づく位置決め手段の模式図である。
【図６】本考案に係る他の実施例に基づく位置決め手段の模式図である。
【図７】本考案に係る他の実施例に基づく位置決め手段の模式図である。
【考案を実施するための形態】
【００１１】
以下、本考案の実施の形態を図面に基づき説明する。
図１は、本考案に係る実施例に基づく電源コンセントの模式図である。電源コンセント１００は、本体１１０と挟持アーム１２０とを備え、本体１１０には少なくとも一つの電源プラグ１１２及び少なくとも一つの充電インタフェース１１４を有している。挟持アーム１２０は、本体１１０に摺動可能に設けられ、固定端１２４及び摺動端１２２を有する。摺動端１２２は、普段本体１１０の内部に挿入して収容され、ユーザの操作により摺動して本体から引き出すことができる。固定端１２４は本体１１０から突出し、摺動端１２２の摺動に連動して本体に対して移動することができる。固定端１２４と本体１１０の側面１１６とは対向して、両者の間に挟んだ空間は、携帯型電子装置を入れるための溝部１３０として形成される。挟持アーム１２０は、外部へ引き出すことや内部へ挿入することにより摺動することで固定端１２４の本体に対する位置を調整することができ、溝部１３０の幅が調整することができる。これにより、寸法の異なる携帯型電子装置に適用することができる。
【００１２】
電源プラグ１１２及び充電インタフェース１１４は、例えば本体１１０の上面及び両側面に位置し、その数量は必要に応じて適宜に設計することができる。電源プラグ１１２は３つの孔又は２つの孔のいずれであってもよく、充電インタフェース１１４は例えばＵＳＢインタフェース（例えばｍｉｃｒｏ−Ｂ又はｍｉｃｒｏ−ＡＢ）、携帯電話充電インタフェース、ノードパソコン充電インタフェース、ｉＰｈｏｎｅ充電インタフェース又はｉＰａｄ充電インタフェースなどが例示されるが、本考案はそれらに限定されるものではない。
【００１３】
本体１１０の側面１１６及び挟持アーム１２０の固定端１２４は傾斜面となっており、両者が平行になるように構成されているが、本考案はこれに限定されるものではない。側面１１６は、本体１１０の底部前縁１４１から本体１１０の上部前縁１４２に向けて延びて形成される。本体１１０の底部前縁１４１は本体１１０の上部前縁１４２よりも外部に向けて突出しているため、側面１１６は傾斜面となっている。また、前記摺動端１２２の上面から前記側面の上部までの長さは、前記摺動端１２２の上面から前記固定端の上部までの長さよりも長い。つまり、前記側面１１６の高さは前記固定端１２４の高さよりも高くように形成される。側面１１６及び固定端１２４は、その断面はいずれも傾斜面の構成であるため、携帯型電子装置を溝部１３０に入れた場合には、側面１１６の方向にやや傾斜して側面１１６に寄りかかり、ユーザが装置の使用やディスプレイの閲覧をするのに便利になる。図２は、携帯型電子装置２１０が溝部１３０に入れた場合の模式図である。携帯型電子装置２１０が電源コンセント１００の溝部１３０に入れた場合には、後へやや傾斜して側面１１６に寄りかかるため、スペースの節約のみならず、テーブルの雑乱を回避することができ、さらには携帯型電子装置２１０の傾斜によるスペースを利用することにより、電源コンセント１００を携帯型電子装置２１０の後方に隠蔽することができる。
【００１４】
また、図１に示すように、溝部１３０の両反対端には、対向する２つの開放端１３２、１３４を有している。携帯型電子装置２１０の長さは、溝部１３０の長さよりも長くても構わない。また、図３Ａ、図３Ｂに示すように、電源コンセント１００の本体１１０の長手方向に対して、携帯型電子装置を溝部１３０に縦置き又は横置きにして入れることができる。図３Ａ、図３Ｂは、本考案に係る実施例に基づく携帯型電子装置を入れた模式図である。携帯型電子装置３１０，３２０，３３０を入れる方向は、なんら制限されず、その両側が溝部１３０の両端部から突出してもよいため、入れる長さの制限はない。こうした構成によれば、携帯型電子装置２１０，３１０，３２０，３３０を入れた場合には、幅や方向性の制限はない。さらに、挟持アーム１２０の摺動端１２２を本体から引き出し、これに連動して固定端１２４の本体に対する位置を調整することで、溝部１３０の幅を必要に応じて変更することができるので、厚さの制限もない。摺動可能な挟持アーム１２０の構成により、ユーザは、携帯型電子装置２１０をより容易に入れることが可能となる。
【００１５】
また、図４は、本考案に係る実施例に基づく電源コンセント１００の模式図である。電源コンセント１００には、電源コンセント１００における電源プラグ１１２及び充電インタフェース１１４の電源を制御するための電源スイッチ４１０を設けてもよい。本実施例において電源スイッチ４１０は、その設置位置や形態が限定されず、例えば、タッチスイッチが例示される。挟持アーム１２０の携帯型電子装置と接触することになる面、即ち摺動端１２２の上面、及び固定端１２４が側面１１６と対向した面には、携帯型電子装置を保護するためのソフトパッド４２０，４３０が配置されている。また、本体１１０の底部には滑り止めパッド４４０、４５０が配置されている。ソフトパッド及び滑り止めパッドの数量、形状及び材質は、本実施例に限定されるものではない。
【００１６】
本体１１０の内部には、携帯型電子装置が入れる時に摺動しないように挟持アーム１２０の位置を位置決めするための位置決め手段が設けられている。位置決め手段は、挟持アーム１２０の摺動端１２２の構造及び本体１１０内における一部の部材の組合せによるものが好ましい。例えば、スプリング、フック、押しボタン又はプッシュプッシュタイプ（ｐｕｓｈ  ｐｕｓｈ  Ｔｙｐｅ）位置決め手段である。以下、位置決め手段としていくつかを例示して説明するが、これらに限定されるものではない。
【００１７】
まず、図５Ａ〜図５Ｃは、本考案に係る実施例に基づく位置決め手段の模式図である。挟持アーム１２０の摺動端１２２は、本体１１０に摺動可能に挿入され、摺動端１２２には複数の位置決め孔５１１が設けられる。本体１１０には、少なくとも１つの位置決め部材５１０が設けられる。位置決め部材５１０は、前記複数の位置決め孔５１１のいずれか１つに嵌入することができる。位置決め部材５１０は、図５Ｂ、図５Ｃに示すように、ボール型位置決め端５３０及び位置決めロッド５４０により位置決め孔５１１に嵌入することで挟持アーム１２０を位置決めする。ボール型位置決め端５３０及び位置決めロッド５４０は、スプリング（図示せず）により弾性力を施すことにより位置決め孔５１１に嵌入してもよいが、位置決め部材５１０と摺動端１２２との間の干渉の解除を手動により制御してもよい。
【００１８】
図６は、本考案に係る他の実施例に基づく位置決め手段の模式図である。位置決め手段は、位置決め歯６１０と位置決め爪６５０とからなる。摺動端１２２の上には複数の位置決め歯６１０が設けられ、本体１１０に位置決め歯６１０と干渉するための対応する位置決め爪６５０が設けられている。位置決め爪６５０が側方向へ移動し、位置決め爪６５０に対する干渉を解除する場合には、摺動端１２２が自由に摺動することができる。位置決め爪６５０が摺動端１２２の上方に移動し、位置決め歯６１０の間に掛止された場合には、摺動端１２２が外部へ摺動することができなくなる。また、位置決め手段は、ラチェット及び係り爪（図示せず）により実施してもよく、摺動端１２２によりラチェットを連動駆動して係り爪によりラチェットと干渉する。また、突部及び凹溝の構成により位置決め手段を実施してもよい。図７は、本考案に係る他の実施例に基づく位置決め手段の模式図である。摺動端１２２の底部には複数の球面凹溝７２０が設けられ、本体１１０のスライドレール底部には球面突部７１０が少なくとも１つ設けられている。摺動端１２２が対応位置に摺動した場合には、球面突部７１０が球面凹溝７２０に嵌入され、位置決めの効果が得られる。位置決め手段にはさまざまな実施態様があるため、本考案は上述した実施態様に限定されるものではないことに注意されたい。
【００１９】
なお、上述した実施例における技術手段を単一又は組み合わせて使用することができ、本考案はそれらの実施例に限定されるものではない。上述の実施例の説明によれば、当該技術分野において通常知識を有する者は、その他の実施態様を容易に推知できることが自明である。ここでは詳しい説明を省略する。
【００２０】
以上、本考案に係る好ましい実施例を説明したが、本考案は、上記実施形態に限定されるものではなく、その属する技術分野において通常知識を有する者が本考案に記載の範囲内において種々の変更や調整が可能である。従って、本考案に係る保護範囲は、本考案の実用新案登録請求の範囲内に含まれるものとする。
【符号の説明】
【００２１】
１００  電源コンセント
１１０  本体
１１２  電源プラグ
１１４  充電インタフェース
１１６  側面
１２０  挟持アーム
１２２  摺動端
１２４  固定端
１３０  溝部
１３２、１３４  開放端
１４１  底部前縁
１４２  頂部前縁
２１０、３１０、３２０、３３０  携帯型電子装置
４１０  電源スイッチ
４２０、４３０  ソフトパッド
４４０、４５０  滑り止めパッド
５１０  位置決め部材
５１１  位置決め孔
５３０  ボール型位置決め端
５４０  位置決めロッド
６１０  位置決め歯
６５０  位置決め爪
７１０  球面突部
７２０  球面凹溝
【図１】
0003165298.tif 000003
【図２】
0003165298.tif 000004
【図３】
0003165298.tif 000005
【図４】
0003165298.tif 000006
【図５】
0003165298.tif 000007
【図６】
0003165298.tif 000008
【図７】
0003165298.tif 000009